(57)【要約】【課題】  原稿濃度のばらつきや複写機のランプのばらつきや原稿の汚れなどに左右されず、画像の特徴領域を認識することができる画像処理装置、画像処理方法、情報記録媒体及びコンピュータプログラムを提供する。【解決手段】  原稿を読み取るスキャナ２と、スキャナ２による読み取りと同期して原稿をスキャンし原稿上の無線タグの電波を送受信するアンテナ５ａと、アンテナ５ａへ送信する電波を生成する無線変調手段及びアンテナ５ａにより受信した電波を復調する無線復調手段を備えたリーダ・ライター６ａと、無線復調手段により読み取られた無線タグの位置情報を記録するページヘッダ編集装置８ａと、ページヘッダ編集装置８ａにより記録された位置情報に基づき原稿の画像処理を行う画像処理装置１２ａと、を備えた。【選択図】        図５
2006094240.tif 000002
【特許請求の範囲】
【請求項１】
原稿を読み取る原稿読み取り手段と、
前記原稿読み取り手段による読み取りと同期して原稿をスキャンし原稿上の無線タグの電波を送受信する電波送受信手段と、
前記電波送受信手段へ送信する電波を変調する無線変調手段と、
前記電波送受信手段により受信した電波を復調する無線復調手段と、
前記無線復調手段により読み取られた無線タグの位置情報を記録する無線タグ情報記録手段と、
前記無線タグ情報記録手段により記録された位置情報に基づき原稿の画像処理を行う画像処理手段と、を有することを特徴とする画像処理装置。
【請求項２】
原稿を読み取る原稿読み取り手段と、
前記原稿読み取り手段による読み取りと同期して原稿をスキャンし原稿上の無線タグの電波を送受信する電波送受信手段と、
前記電波送受信手段へ送信する電波を変調する無線変調手段と、
前記電波送受信手段により受信した電波を復調する無線復調手段と、
前記無線復調手段により読み取られた無線タグの識別番号を認識する識別番号認識手段と、
前記識別番号認識手段により認識された識別番号に基づき原稿の画像処理を行う画像処理手段と、を有することを特徴とする画像処理装置。
【請求項３】
原稿を読み取る原稿読み取り手段と、
前記原稿読み取り手段による読み取りと同期して原稿をスキャンし原稿上の無線タグの電波を送受信する電波送受信手段と、
前記電波送受信手段へ送信する電波を変調する無線変調手段と、
前記電波送受信手段により受信した電波を復調する無線復調手段と、
前記無線復調手段により読み取られた無線タグの位置情報を記録する無線タグ情報記録手段と、
前記無線復調手段により読み取られた無線タグの識別番号を認識する識別番号認識手段と、
前記識別番号認識手段により認識された無線タグの識別番号と位置情報とに基づき原稿の画像処理を行う画像処理手段と、を有することを特徴とする画像処理装置。
【請求項４】
原稿を読み取る原稿読み取り手段と、
前記原稿読み取り手段による読み取りと同期して原稿をスキャンし原稿上の無線タグの電波を送受信する電波送受信手段と、
前記電波送受信手段へ送信する電波を変調する無線変調手段と、
前記電波送受信手段により受信した電波を復調する無線復調手段と、
前記無線復調手段により読み取られた無線タグの内容を記録する無線タグ情報記録手段と、
前記無線タグ情報記録手段により記録された内容に基づき原稿の画像処理を行う画像処理手段と、を有することを特徴とする画像処理装置。
【請求項５】
原稿を読み取る原稿読み取り手段と、
前記原稿読み取り手段による読み取りと同期して原稿をスキャンし原稿上の無線タグの電波を送受信する電波送受信手段と、
前記電波送受信手段へ送信する電波を変調する無線変調手段と、
前記電波送受信手段により受信した電波を復調する無線復調手段と、
前記無線復調手段により読み取られた無線タグの位置情報を記録する無線タグ情報記録手段と、
前記無線復調手段により読み取られた無線タグの内容を記録する無線タグ情報記録手段と、
前記無線タグ情報記録手段により記録された無線タグの内容と位置情報とに基づき原稿の画像処理を行う画像処理手段と、を有することを特徴とする画像処理装置。
【請求項６】
原稿を読み取る原稿読み取り手段と、
前記原稿読み取り手段による読み取りと同期して原稿をスキャンし原稿上の無線タグの電波を送受信する電波送受信手段と、
前記電波送受信手段へ送信する電波を変調する無線変調手段と、
前記電波送受信手段により受信した電波を復調する無線復調手段と、
前記無線復調手段により読み取られた原稿上の無線タグのある無しを認識する無線タグの有無認識手段と、
前記無線タグの有無認識手段により認識された無線タグの有無に基づいて画像処理を行う画像処理手段と、を有することを特徴とする画像処理装置。
【請求項７】
請求項１、３又は５記載の画像処理装置において、
原稿上の無線タグの位置の周辺領域の画像属性情報を抽出する画像属性情報抽出手段を有し、前記画像属性情報抽出手段により抽出された前記画像属性情報に基づいて画像処理を行うことを特徴とする画像処理装置。
【請求項８】
請求項７の画像属性情報抽出手段により抽出された前記画像属性情報に基づいて、画像データについて画像の像域分離を行う像域分離手段と、
画像をウェーブレット変換した係数を符号化することにより前記画像データを圧縮符号化して符号列を作成する圧縮手段と、
この符号列の作成の際に前記像域分離の結果判明した特定の像域にＲＯＩ領域を設定するＲＯＩ領域設定手段と、を備えていることを特徴とする画像処理装置。
【請求項９】
請求項８に記載の画像処理装置において、
前記圧縮手段は、画像の前記ＲＯＩ領域とそれ以外の領域とで異なる圧縮符号化方式により前記圧縮符号化を行うことを特徴とする画像処理装置。
【請求項１０】
請求項９に記載の画像処理装置において、
前記圧縮手段は、前記異なる圧縮符号化方式を画像の圧縮率の高低としていることを特徴とする画像処理装置。
【請求項１１】
原稿読み取り手段によって原稿を読み取り、
前記原稿読み取り手段による読み取りと同期して電波送受信手段によって原稿をスキャンし原稿上の無線タグの電波を送受信し、
無線変調手段によって前記電波送受信手段へ送信する電波を生成し、
前記電波送受信手段により受信した電波を無線復調手段によって復調し、
前記無線復調手段により読み取られた無線タグの位置情報を無線タグ情報記録手段によって記録し、
前記無線タグ情報記録手段により記録された位置情報に基づき画像処理手段によって原稿の画像処理を行うことを特徴とする画像処理方法。
【請求項１２】
原稿読み取り手段によって原稿を読み取り、
前記原稿読み取り手段による読み取りと同期して電波送受信手段によって原稿をスキャンし原稿上の無線タグの電波を送受信し、
無線変調手段によって前記電波送受信手段へ送信する電波を生成し、
前記電波送受信手段により受信した電波を無線復調手段によって復調し、
前記無線復調手段により読み取られた無線タグの識別番号を識別番号認識手段によって認識し、
前記識別番号認識手段により認識された識別番号に基づき画像処理手段によって原稿の画像処理を行うことを特徴とする画像処理方法。
【請求項１３】
原稿読み取り手段によって原稿を読み取り、
前記原稿読み取り手段による読み取りと同期して電波送受信手段によって原稿をスキャンし原稿上の無線タグの電波を送受信し、
無線変調手段によって前記電波送受信手段へ送信する電波を変調し、
前記電波送受信手段により受信した電波を無線復調手段によって復調し、
前記無線復調手段により読み取られた無線タグの内容を無線タグ情報記録手段によって記録し、
前記無線タグ情報記録手段により記録された内容に基づき画像処理手段によって原稿の画像処理を行うことを特徴とする画像処理方法。
【請求項１４】
請求項１から１３のいずれか一項に記載の処理内容が記録され、コンピュータが読み取り可能であることを特徴とする情報記録媒体。
【請求項１５】
請求項１から１３のいずれか一項に記載の処理内容が記録されていることを特徴とするコンピュータプログラム。
【発明の詳細な説明】
【技術分野】
【０００１】
本発明は、画像読み取り手段において、無線タグを付加した印刷物を認識し、無線タグが付加された周辺領域に対して他とは異なる処理を行う画像処理装置、画像処理方法、情報記録媒体及びコンピュータプログラムに関する。
【背景技術】
【０００２】
近年、スキャナ、デジタルカメラ、コンピュータ、複写機、複合機（ＭＦＰ）等の画像処理装置の普及に伴い、デジタル画像データをメモリやハードディスク等の記憶装置に記憶したり、ＣＤ−ＲＯＭ等の光ディスクに記憶したり、さらには、インターネット等を介して伝送したりすることが身近なものになっている。特に、最近では、コンピュータや複合機等が画像サーバとして使用されることも多くなっている。このような画像データには様々な画像処理が行われる。
例えば、複合機等の一般的な画像処理の流れとしては、前段の画像データ読み込み過程で領域識別処理などの画像認識処理を施している。
（１）画像入力→傾き角度検出→傾き角度補正→領域識別処理→文字認識処理
（２）画像入力→傾き角度検出→傾き角度補正→タイトル抽出→タイトルを文書管理のファイル名等に使用
（３）カラー画像入力→２値化処理→傾き角度検出（その後（１）又は（２）の処理と同様）
（４）カラー画像入力→２値化処理（その後（３）の処理と同様）→文字領域又はタイトル領域の文字色を特定→再現表示等の処理がある。
また、画像を検索する画像処理（又は画像を分類する画像処理）の流れとしては、
（５）画像入力→特徴量抽出→特徴量が近い画像を検索（その後分類）
というような処理が一般的である。ここで、特徴量としては、色、テクスチャやエッジ情報等がある。
【０００３】
一方、複写機の画像読取装置は、画像読取装置によって特性が異なっている。同一の画像読取装置であっても、時間の経過や読取位置によってランプの光量が異なり、特定原稿自体も濃度の高いものや低いものが存在するなどの要因により、画像読取装置からの画像信号のレベルが変動するため、レベルの変動する画像信号から特定原稿の画像の認識を行うことになり、個々の画像読取装置の特性や画像読取装置上の原稿の位置などにより読取りの認識率が低下する場合がある。この画像信号のレベル変動以外にも、読取り精度を低下させる要因として、原稿の汚れや、複写機のランプなどのばらつきの問題もある。
１枚の画像には、文字、絵柄、写真など、の混在画像では像域識別が難しく（自動認識することが難しく）、像域分離エラーが起こる場合がしばしばである。そのような場合にあって、バーコードに分離情報を記載し、それをスキャン時に読み込むことも考えられるが、上記に説明したような理由で必ずしも確実な識別ができなかったり、また、バーコードの記録が一部壊れてしまったり、バーコードを記載することで、画像が望ましいものでなくなったりすることがあった。
これらのことから、原稿の読取り精度が安定せず、低下する場合があるため画像の特徴認識の妨げとなっていた。そのためバーコードを用いた処理の制御は一般には困難である。
このような背景から、画像認識精度を高めることは、複合機等の画像処理上極めて重要な位置を占め、画像処理の流れの中で実行される様々な技術が提案されているのである。
【０００４】
無線タグ（ＲＦＩＤ）に係る先行技術としては、非特許文献１のように、個別情報を電子的に保持して電磁誘導により非接触で情報伝達するＩＤ素子（ＲＦＩＤ：Radio Frequency IDentification）技術が開発され、物の識別管理のために応用され始めている。ＩＤ素子を用いた個体認識方式は、流通分野におけるバーコードに替わる技術として注目されているものである。また、特許文献１では、印刷用紙にＩＤ機能を持たせ、暗号検証することで、印刷物の内容改ざんを防止し唯一性も同時に確認するという技術を開示している。また、特許文献２では、機密文書の流出を防止するために原稿を識別するために内蔵されるコード発信器からの無線電波を読み取るという技術を提案している。
また、画像認識に係る典型的な先行技術としては、特許文献３のように、入力されたカラー画像信号の特性を補正し、補正画像信号を得る補正手段と、前記補正手段により得られた補正画像信号中の特徴を抽出する抽出手段と、前記抽出手段により抽出された特徴と予め用意された特定原稿の特徴との類似度を判定する判定手段と、前記判定手段により判定された類似度に応じて前記入力されたカラー画像信号の処理内容を変更する変更手段とを備えた画像処理装置が提案されている。
【０００５】
また、像域分離情報を利用した符号化処理に係る先行技術としては、特許文献４のように、画像データを空間周波数に基づく係数へ変換して、変換係数に基づいて画像中の特定領域を抽出し、抽出された特定領域に応じて量子化特性を変更するものがある。また、特許文献５では、画像データを複数の周波数帯域に分解し、分解された周波数帯域に基づいてエッジ領域と絵柄領域とに像域分離し、分離された領域毎に周波数分解の階層数を変更する（符号化方式を異ならせる）とする技術が示されている。また、特許文献６は、画像中の重要な領域を指定し、画像データの位置と重要な領域との距離をパラメータとして当該読み出された画像データの重要度を算出し、算出された重要度に応じて画像データの各画素の圧縮率又は伸長率を変化させるとする技術を提案している。
【非特許文献１】「モノに情報を貼り付けるＲＦＩＤタグとその応用」情報処理学会誌４０巻８号、１９９９年８月、ｐ８４６〜８５０
【特許文献１】特開２００２−９９２０９公報
【特許文献２】特開平６−２２０６２号公報
【特許文献３】特開平６−１０５１３６号公報
【特許文献４】特開２０００−１９７０５０公報
【特許文献５】特開平１１−１３６５２０号公報
【特許文献６】特開２０００−１３６０８公報
【発明の開示】
【発明が解決しようとする課題】
【０００６】
しかしながら、非特許文献１、特許文献１及び特許文献２の技術は、画像処理を目的として無線情報を使用するものではなく、利用の仕方に関する思想が全く異なっている。画像処理結果がよい結果となるようにするためのものではない。また、特許文献３の技術は、情報の抽出に至るまでの過程が複雑になる。また、特許文献４〜６の技術は、いずれも像域分離結果の精度が十分ではない。
画像情報の取り扱いにおいて、１枚の画像には、文字、絵柄、写真など、種類が異なる画像が混在している場合がある。そして、同一の１枚の画像であっても、その含まれる画像の種類によって重要度が異なる場合があり、このような画像を処理する方法を重要度に応じて適応的に変更したり、圧縮符号化する場合においても、一本の圧縮符号列中で、画像の種類に応じて取り扱いを変えるようにできれば、その後の画像データの利用上も便利である。また、画像の領域毎に属性の違いなどから画像処理方法を変更するなど領域ごとの最適処理制御をすることは有効である。装置パネルなどから直接使用者が処理方法を細かく指示することも可能であるが、領域を指定することを含めた指定は一般に効率的に実行するのは困難である。
そこで、本発明は、上述した実情を考慮してなされたもので、原稿濃度のばらつきや複写機のランプのばらつきや原稿の汚れなどに左右されず、画像の特徴領域を認識することができる画像処理装置、画像処理方法、情報記録媒体及びコンピュータプログラムを提供することを目的とする。
【課題を解決するための手段】
【０００７】
上記の課題を解決するために、請求項１に記載の発明は、原稿を読み取る原稿読み取り手段と、前記原稿読み取り手段による読み取りと同期して原稿をスキャンし原稿上の無線タグの電波を送受信する電波送受信手段と、前記電波送受信手段へ送信する電波を変調する無線変調手段と、前記電波送受信手段により受信した電波を復調する無線復調手段と、前記無線復調手段により読み取られた無線タグの位置情報を記録する無線タグ情報記録手段と、前記無線タグ情報記録手段により記録された位置情報に基づき原稿の画像処理を行う画像処理手段と、を有する画像処理装置を最も主要な特徴とする。
また、請求項２に記載の発明では、原稿を読み取る原稿読み取り手段と、前記原稿読み取り手段による読み取りと同期して原稿をスキャンし原稿上の無線タグの電波を送受信する電波送受信手段と、前記電波送受信手段へ送信する電波を変調する無線変調手段と、前記電波送受信手段により受信した電波を復調する無線復調手段と、前記無線復調手段により読み取られた無線タグの識別番号を認識する識別番号認識手段と、前記識別番号認識手段により認識された識別番号に基づき原稿の画像処理を行う画像処理手段と、を有する画像処理装置を主要な特徴とする。
また、請求項３に記載の発明では、原稿を読み取る原稿読み取り手段と、前記原稿読み取り手段による読み取りと同期して原稿をスキャンし原稿上の無線タグの電波を送受信する電波送受信手段と、前記電波送受信手段へ送信する電波を変調する無線変調手段と、前記電波送受信手段により受信した電波を復調する無線復調手段と、前記無線復調手段により読み取られた無線タグの位置情報を記録する無線タグ情報記録手段と、前記無線復調手段により読み取られた無線タグの識別番号を認識する識別番号認識手段と、前記識別番号認識手段により認識された無線タグの識別番号と位置情報とに基づき原稿の画像処理を行う画像処理手段と、を有する画像処理装置を主要な特徴とする。
【０００８】
また、請求項４に記載の発明では、原稿を読み取る原稿読み取り手段と、前記原稿読み取り手段による読み取りと同期して原稿をスキャンし原稿上の無線タグの電波を送受信する電波送受信手段と、前記電波送受信手段へ送信する電波を変調する無線変調手段と、前記電波送受信手段により受信した電波を復調する無線復調手段と、前記無線復調手段により読み取られた無線タグの内容を記録する無線タグ情報記録手段と、前記無線タグ情報記録手段により記録された内容に基づき原稿の画像処理を行う画像処理手段と、を有する画像処理装置を主要な特徴とする。
また、請求項５に記載の発明では、原稿を読み取る原稿読み取り手段と、前記原稿読み取り手段による読み取りと同期して原稿をスキャンし原稿上の無線タグの電波を送受信する電波送受信手段と、前記電波送受信手段へ送信する電波を変調する無線変調手段と、前記電波送受信手段により受信した電波を復調する無線復調手段と、前記無線復調手段により読み取られた無線タグの位置情報を記録する無線タグ情報記録手段と、前記無線復調手段により読み取られた無線タグの内容を記録する無線タグ情報記録手段と、前記無線タグ情報記録手段により記録された無線タグの内容と位置情報とに基づき原稿の画像処理を行う画像処理手段と、を有する画像処理装置を主要な特徴とする。
また、請求項６に記載の発明では、原稿を読み取る原稿読み取り手段と、前記原稿読み取り手段による読み取りと同期して原稿をスキャンし原稿上の無線タグの電波を送受信する電波送受信手段と、前記電波送受信手段へ送信する電波を変調する無線変調手段と、前記電波送受信手段により受信した電波を復調する無線復調手段と、前記無線復調手段により読み取られた原稿上の無線タグのある無しを認識する無線タグの有無認識手段と、前記無線タグの有無認識手段により認識された無線タグの有無に基づいて画像処理を行う画像処理手段と、を有する画像処理装置を主要な特徴とする。
【０００９】
また、請求項７に記載の発明では、原稿上の無線タグの位置の周辺領域の画像属性情報を抽出する画像属性情報抽出手段を有し、前記画像属性情報抽出手段により抽出された前記画像属性情報に基づいて画像処理を行う画像処理装置を主要な特徴とする。
また、請求項８に記載の発明では、請求項７の画像属性情報抽出手段により抽出された前記画像属性情報に基づいて、画像データについて画像の像域分離を行う像域分離手段と、画像をウェーブレット変換した係数を符号化することにより前記画像データを圧縮符号化して符号列を作成する圧縮手段と、この符号列の作成の際に前記像域分離の結果判明した特定の像域にＲＯＩ領域を設定するＲＯＩ領域設定手段と、を備えている画像処理装置を主要な特徴とする。
また、請求項９に記載の発明では、前記圧縮手段は、画像の前記ＲＯＩ領域とそれ以外の領域とで異なる圧縮符号化方式により前記圧縮符号化を行う画像処理装置を主要な特徴とする。
また、請求項１０に記載の発明では、前記圧縮手段は、前記異なる圧縮符号化方式を画像の圧縮率の高低としている画像処理装置を主要な特徴とする。
また、請求項１１に記載の発明では、原稿読み取り手段によって原稿を読み取り、前記原稿読み取り手段による読み取りと同期して電波送受信手段によって原稿をスキャンし原稿上の無線タグの電波を送受信し、無線変調手段によって前記電波送受信手段へ送信する電波を生成し、前記電波送受信手段により受信した電波を無線復調手段によって復調し、前記無線復調手段により読み取られた無線タグの位置情報を無線タグ情報記録手段によって記録し、前記無線タグ情報記録手段により記録された位置情報に基づき画像処理手段によって原稿の画像処理を行う画像処理方法を主要な特徴とする。
【００１０】
また、請求項１２に記載の発明では、原稿読み取り手段によって原稿を読み取り、前記原稿読み取り手段による読み取りと同期して電波送受信手段によって原稿をスキャンし原稿上の無線タグの電波を送受信し、無線変調手段によって前記電波送受信手段へ送信する電波を生成し、前記電波送受信手段により受信した電波を無線復調手段によって復調し、前記無線復調手段により読み取られた無線タグの識別番号を識別番号認識手段によって認識し、前記識別番号認識手段により認識された識別番号に基づき画像処理手段によって原稿の画像処理を行う画像処理方法を主要な特徴とする。
また、請求項１３に記載の発明では、原稿読み取り手段によって原稿を読み取り、前記原稿読み取り手段による読み取りと同期して電波送受信手段によって原稿をスキャンし原稿上の無線タグの電波を送受信し、無線変調手段によって前記電波送受信手段へ送信する電波を変調し、前記電波送受信手段により受信した電波を無線復調手段によって復調し、前記無線復調手段により読み取られた無線タグの内容を無線タグ情報記録手段によって記録し、前記無線タグ情報記録手段により記録された内容に基づき画像処理手段によって原稿の画像処理を行う画像処理方法を主要な特徴とする。
また、請求項１４に記載の発明では、請求項１から１３のいずれか一項に記載の処理内容が記録され、コンピュータが読み取り可能である情報記録媒体を主要な特徴とする。
また、請求項１５に記載の発明では、請求項１から１３のいずれか一項に記載の処理内容が記録されているコンピュータプログラムを主要な特徴とする。
【発明の効果】
【００１１】
本発明によれば、原稿濃度のばらつきや複写機のランプのばらつきや原稿の汚れなどに左右されず、確実に的確な画像の特徴領域を認識できる。
また、無線タグの位置情報に基づいて画像処理する手段が提供できる。簡易かつ確実に原稿上の特定領域を指定することが可能となり、特定領域に対する画像処理を施すことができる。
また、無線タグの種類に基づいて画像処理する手段が提供できる。簡易かつ確実に原稿の画像処理方法を指定することが可能となり、的確な画像処理を施すことができる。
また、無線タグの位置と種類に基づいて画像処理する手段が提供できる。簡易かつ確実に原稿上の特定領域を指定することが可能となるとともに、画像処理方法を指定することが可能となり、特定領域に対する的確な画像処理を施すことができる。
また、無線タグの内容に基づいて画像処理する手段が提供できる。簡易かつ確実に原稿の画像処理方法を指定することが可能となり、的確な画像処理を施すことができる。
また、無線タグの位置と内容に基づいて画像処理する手段が提供できる。簡易かつ確実に原稿上の特定領域を指定することが可能となるとともに、画像処理方法を指定することが可能となり、特定領域に対する的確な画像処理を施すことができる。
また、無線タグの有無に基づいて画像処理する手段が提供できる。簡易かつ確実に原稿の画像処理方法を指定することが可能となり、的確な画像処理を施すことができる。
また、無線タグの位置周辺領域の画像属性情報を抽出し画像属性情報を使用して画像処理する手段を提供でき、領域毎の特徴に応じた画像処理が可能となる。
また、無線タグの位置情報を使用した特定領域に対する符号処理が可能となる。
また、特定領域（ＲＯＩ領域）内外で異なる圧縮符号化処理を施し、特定領域に対して他の領域とは異なる符号化処理が可能となる。
また、特定領域（ＲＯＩ領域）で異なる圧縮率で符号化する手段を提供でき、特定領域に対して他の領域とは異なる符号化処理が可能となる。
【発明を実施するための最良の形態】
【００１２】
以下、図面を参照して、本発明を実施するための最良の形態を詳細に説明する。
１）基本構成
図１は、本発明の画像処理装置を実施するための最良の形態である複合機（ＭＦＰ）１を概略的に示す縦断面図である。複合機１は、複写機能、プリンタ機能、スキャナ機能、ファクシミリ機能、画像サーバ機能等の複合機能を有し、原稿から原稿画像を読み取る画像読取部であるスキャナ２と、スキャナ２で読み取られた画像を用紙等の記録材に形成する画像形成部であるプリンタ３とを備えている。
スキャナ２の本体ケース４の上面には、原稿（図示せず）が載置されるコンタクトガラス５が設けられている。原稿は、原稿面をコンタクトガラス５に対向させて載置される。コンタクトガラス５の上側には、コンタクトガラス５上に載置された原稿を押える原稿圧板６（いわゆるＡＤＦであってもよい）が設けられている。コンタクトガラス５の下方には、原稿画像を光学的に読み取るための読取光学系７が設けられている。この読取光学系７は、光を発光する光源８及びミラー９を搭載する第１走行体１０、２枚のミラー１１、１２を搭載する第２走行体１３、結像レンズ１４を介してミラー９、１１、１２によって導かれる光を受光するＣＣＤ（Charge Coupled Device）イメージセンサ１５等によって構成されている。
ＣＣＤイメージセンサ１５は、ＣＣＤイメージセンサ１５上に結像される原稿からの反射光を光電変換することで光電変換データを生成する光電変換素子として機能する。光電変換データは、原稿からの反射光の強弱に応じた大きさを有する電圧値である。第１、第２走行体１０、１３は、コンタクトガラス５に沿って往復動自在に設けられており、後述する原稿画像の読取動作に際しては、図示しないモータ等の移動装置によって２：１の速度比で副走査方向にスキャニング走行する。これにより、読取光学系７による原稿読取領域の露光走査が行われる。なお、本実施の形態では、読取光学系７側がスキャニング走査を行う原稿固定型で示しているが、読取光学系７側が位置固定で原稿側が移動する原稿移動型であっても良い。
【００１３】
プリンタ３は、シート状の用紙等の記録材を保持する記録材保持部１６から電子写真方式のプリンタエンジン１７及び定着器１８を経由して排出部１９へ至る記録材経路２０を備えている。プリンタエンジン１７は、感光体２１、帯電器２２、露光器２３、現像器２４、転写器２５及びクリーナー２６等を用いて、電子写真方式で感光体２１の周囲に形成したトナー像を記録材に転写し、転写したトナー像を、定着器１８によって記録材上に定着させる。なお、本実施の形態では、プリンタエンジン１７が電子写真方式で画像形成を行うが、これに限るものではなく、例えば、インクジェット方式、昇華型熱転写方式、直接感熱記録方式等の様々な画像形成方式で画像形成を行うようにしても良い。
このような複合機１は、複数のマイクロコンピュータで構成される制御系により制御される。図２はこれらの制御系のうち、画像処理に関わる制御系の電気的な接続を概略的に示すブロック図である。この制御系は、ＣＰＵ３０、ＲＯＭ３１、ＲＡＭ３２、操作パネル３３、ＩＰＵ（Image Processing Unit）３４、Ｉ／Ｏポート３５、通信制御部３６等がバス３７で接続され構成されている。ＣＰＵ３０は、各種演算を行い、画像処理等の処理を集中的に制御する。ＲＯＭ３１には、ＣＰＵ３０が実行する処理に関わる各種プログラムや固定データが格納されている。
また、ＲＡＭ３２は、ＣＰＵ３０のワークエリアとして機能し、加えて、画像データ（例えば、画像ファイル）を一時的に記憶するメモリとして機能する。操作パネル３３には、ＬＣＤ（Liquid Crystal Display）等の表示器、ハードキー及びタッチパネル等によって構成される複数の操作キー（いずれも図示せず）が設けられており、操作パネル３３が表示部及び操作部として機能する。ＩＰＵ３４は各種画像処理に関わるハードウエアを備えており、ＲＯＭ３１はＥＥＰＲＯＭやフラッシュメモリ等の不揮発性メモリを備えており、画像データ（例えば、画像ファイル）を記憶するメモリとしても機能する。ここで、ＲＯＭ３１内に格納されているプログラムは、ＣＰＵ３０の制御によりＩ／Ｏポート３５を介して外部装置（図示せず）からダウンロードされるプログラムに書換え可能である。
なお、本実施の形態では、ＲＯＭ３１がプログラムを記憶する記憶媒体として機能している。通信制御部３６は、複合機１と外部装置（図示せず）との間でネットワーク等を介してデータを送受信する機能を有しており、ファクシミリのモデム機能、公衆電話回線網に接続するための網制御機能、ＬＡＮ（Local Area Network）制御機能等を備えている。
【００１４】
２）複合機への無線タグ（ＲＦＩＤ）機能搭載
一般に、複合機などのスキャナは原稿の解像度が高い為に主走査方向に１次元のＣＣＤを使用し、走行体により副走査方向に参照光を移動させてラインごとに読み込むことで、２次元の画像を読み込んでいる。図３は複合機１の光学系の斜視図である。図に示すように、第１走行体１０と第２走行体１３は、２本の、対称に張られたワイヤ３ｄにより、フォワ−ド方向とその逆のリタ−ン方向に駆動され、フォワ−ド方向の駆動の間に、原稿の画像の輝度が、ＣＣＤ１５で電気信号に変換される。ワイヤ３ｄは、駆動軸４ｄと一体となったプーリ５ｄに巻かれその回転により駆動される。プーリ５ｄは、タイミングベルト６ｄで、ステッピングモータ８ｄの軸と一体となっているプーリ７ｄに結合している。モータ８ｄが正転すると、第１走行体１０がフォワ−ド方向に移動し、第２走行体１３がそれと同方向にその半分の速度で移動する。
図４は走行体により、原稿をスキャンする原理について説明するための図である。走行体は、主走査方向にランプをあて、その反射光をミラーを介して主走査方向のＣＣＤへ送り、順次、副走査方向に移動していく。本発明の典型的な構成における走行体は、図４のように、第１走行体１０に複数の送受信アンテナ（後述する）を備えている。送受信アンテナは、無線タグとリーダ・ライターが信号を交信するためのアンテナである。
【００１５】
図５は複合機の電装・制御装置の処理概念図である。２は原稿読み取り手段としてのスキャナであり、多値のＲＧＢの画像データを読み込む。２ａは平滑フィルタ処理装置であり、スキャナ２から読み込んだ画像データをシェ−デイング補正、ＭＴＦγ補正などの画像処理を行い３ａのラインメモリに画像処理後データを書き込む。３ａはラインメモリであり、２ａにより画像処理されたデータを一時、格納する。４ａは符号化装置であり、３ａのラインメモリからの画像データを符号化し、９ａのメインメモリのページ符号メモリ領域へ符号を、ページヘッダメモリ領域に量子化テーブルを書き込む。５ａは電波送受信手段としてのアンテナであり、図４のように副走査方向に移動しながら無線タグへの電波を送信したり、無線タグからの電波を受信したりする。６ａは、アンテナ５ａへ送信する電波を生成する無線変調手段及びアンテナ５ａにより受信した電波を復調する無線復調手段を有するリーダ・ライターであり、５ａのアンテナに対して無線タグへの要求を送信したり、無線タグからの回答を受信したりする。
７ａは無線タグ認識装置（識別番号認識手段であり無線タグの有無認識手段）であり、６ａのリーダ・ライターから送られてきた無線タグの認識処理をし、８ａのページヘッダ編集装置をかいして９ａのメインメモリのページヘッダへ無線タグ情報を記録する。８ａは無線タグ情報記録手段としてのページヘッダ編集装置であり、７ａの無線タグ認識装置により抽出された無線タグ情報（無線タグの有無、種類、内容または、無線タグの位置情報）を、９ａのメインメモリのページヘッダ領域に記録する。図６に示すように、典型的なページヘッダのフォーマットには、（１）無線タグ（アクセス）の有無、（２）無線タグの位置、（３）無線タグ種別、または（４）無線タグの内容に関する項目が含まれている。
【００１６】
図５に戻って、９ａはメモリであり、４ａの符号化装置により求めたページ符号をページ符号メモリ領域へ格納し、８ａのページヘッダ編集装置からの無線タグ情報や、４ａの符号化装置からの量子化テーブル値などをページヘッダメモリ領域で格納し、７ａの無線タグ認識装置により求めた無線タグ情報を無線タグアクセス記録メモリ領域で格納する。１０ａはページ復号装置であり９ａのメモリのページヘッダから量子化テーブルや、偽造防止対象情報を読み込み、ページ符号メモリ領域から符号を順次読み込み復号し、１２ａの画像処理装置へ転送する。
１２ａは画像処理手段としての画像処理装置であり、９ａのメモリから無線タグ情報を受け取り画像処理を行い、１３ａのラインメモリへ転送する。１３ａはラインメモリであり、１２ａの画像処理装置の処理後の画像を一時格納する。１７はプリンタエンジンである。１５ａはＨＤＤ制御装置であり、１６ａのＨＤＤを制御する。１６ａはＨＤＤであり、９ａのメインメモリのページ符号、追跡パターン、ページヘッダ、無線タグアクセス記録などを記憶させることができる。１１ａは像域分離処理装置である。スキャナで読み込んだ画像データに対して、無線タグ情報を手がかりにして像域分離処理を施す。像域処理の詳細については後述する。
【００１７】
図７に図５の複合機の電装・制御装置の処理概念図の処理フローを示す。図７に示すように、ステップＳ１においてスキャナ入力で得たデータはステップＳ２で平滑フィルタ処理が施されるとともにステップＳ１０で像域分離処理又は特徴抽出処理が施される。ステップＳ２の処理後ステップＳ３へ移って符号化処理され、ステップＳ４で多値ＲＧＢ符号記憶やページヘッダ記憶の処理が行われる。そして、ステップＳ５で複合化処理がなされてステップＳ１３へ移って色補正処理が施されてステップＳ１４で階調処理され、その後ステップＳ１５でプリント出力される。また、ステップＳ１０の処理後はステップＳ３又はステップＳ５又はステップＳ１３又はステップＳ１４へ移る。
一方、ステップＳ６のアンテナによる送受信とステップＳ７のリーダ・ライターによるリード・ライト処理では双方向のデータ受け渡しが行われ、さらにステップＳ７からステップＳ８へ移ると無線タグ処理が行われ、その後ステップＳ１０、ステップＳ９へ移る。ステップＳ９では、ページヘッダ編集がなされてステップＳ４へ移る。
図８は、無線タグとリーダ・ライターのブロック概念図である。無線タグとリーダ・ライターは、送受信アンテナを介して信号の交信をする。図１０はリーダ・ライターと無線タグとの交信フローを示す。図８の無線タグの構成について説明する。１ｂはメモリであり、無線タグの認識番号や、無線タグの内容などを記憶する。２ｂはデータ処理回路であり、各種のデータ処理を行う。３ｂは変調回路であり、送信データに対して変調処理を行う。４ｂは送信ドライバであり、送信処理を行う。５ｂはアンテナ入力回路であり、受送信アンテナの制御を行う。６ｂは電源生成回路であり、受信した電力波を整流して平滑することにより、安定した直流電圧を生成して、各回路に動作電圧として供給する。７ｂは復調回路であり、受信信号に対して復調処理を行う。
【００１８】
次に、図８のリーダ・ライターの構成について説明する。８ｂはデータ処理回路であり、各種のデータ処理を行い、受信した情報を図５の７ａの無線タグ認識装置へ転送する。９ｂは変調回路であり、送信データに対して変調処理を行う。１０ｂは送信ドライバであり、送信処理を行う。１１ｂはアンテナ入力回路であり、受送信アンテナの制御を行う。１２ｂは復調回路であり、受信信号に対して復調処理を行う。
図９は、リーダ・ライターと無線タグとの交信手順を説明するフローチャートである。リーダ・ライター６ａのデータ処理回路８ｂから送信された識別情報要求信号は、変調回路９ｂ、送信ドライバ１０ｂを介してアンテナ５ａから無線タグに対して電波送信される（矢印１ｅ）。アンテナおよびアンテナ入力回路５ｂを介して受信した応答要求信号電波は、復調回路７ｂによって復調されて、応答要求信号はデータ処理回路２ｂに送信され、受信したデータ処理回路２ｂはメモリ１に格納された識別情報を読み出し、処理を施し、変調回路３ｂによって電波に変調され、送信ドライバ４ｂを介してアンテナを通して電波発信される（矢印２ｅ）。無線タグから送信された識別情報を受信したリーダ・ライター６ａは、上記と同様の経路によって、記録内容アクセス要求を無線タグに対して発信する（矢印３ｅ）。発信された記録内容アクセス要求を受信した無線タグは、上記と同様の経路によって記録内容アクセス応答を行う（矢印４ｅ）。
ここで、無線タグと交信フローの例について図１０のフローチャートを用いて説明する。このフローではステップＳ１ａで識別情報要求信号を送信し、ステップＳ２ａに移って識別情報応答をしたかどうかを確認し、応答していなければステップＳ１ａに戻り、応答していればステップＳ３ａへ進んで無線タグ情報をページヘッダ編集装置で編集しメモリに書き込み、その後フローを終了する。
【００１９】
３）無線タグ（ＲＦＩＤ）機能を使用した画像処理
図１１は、複合機１における図５の１２の画像処理の概要を説明するための画像処理装置の機能ブロック図である。図１１において、１ｃはバッファであり、図５の１０のページ復号装置からの画像データを一時格納する。２ｃは色変換処理装置であり、１ｃのバッファに格納された画像データをＣＭＹＫへ色変換を行う。３ｃは階調処理装置であり、２ｃの色変換処理装置により色変換されたＣＭＹＫデータに階調処理をおこなう。４ｃはＰＩＸＥＬ＿ＴＯ＿ＰＬＡＮＥ変換装置であり、階調処理後のＣＭＹＫデータを各プレーン毎にメモリのワードサイズに並び替える。５ｃはバッファであり、４ｃのＰＩＸＥＬ＿ＴＯ＿ＰＬＡＮＥ変換装置からのデータを一時格納する。６ｃは像域分離情報保存部である。メインメモリに格納された像域分離情報を受信して保存する。バッファに格納された画像データを保存された像域分離情報が示す領域毎に色変換処理または階調処理が施される。
次に、複合機１における画像処理の概要について図１２および図１３を参照して説明する。図１２または図１３は、複合機１における画像処理の概要を説明するための画像処理に係る機能ブロック図である。複合機１の画像処理は、無線タグ認識部（識別番号認識手段であり無線タグの有無認識手段）４０ａと、スキャナ２で読み取られた画像の画像データを入力するスキャナ入力部４０ｃと、入力画像の領域毎に特徴量を抽出する領域分離処理部４１と、抽出した複数の領域毎の特徴量に基づいて画像処理する画像処理部と、を備えている。なお、圧縮された画像データを受信して、受信した画像データに対して領域分離処理部４１及び画像処理部による処理を実行するようにしても良い。
このような符号処理部４０ｂ、領域分離処理部４１や無線タグ認識部４０ａ等の機能は、ＲＯＭ３１に記憶されているプログラムに基づいてＣＰＵ３０が行う画像処理で実行されるようにしているが、これに限るものではなく、例えば、ＩＰＵ３４によりハードウエアが行う画像処理で実行されるようにしても良い。
【００２０】
４）特徴抽出部の構成
次に、領域分離処理部４１における特徴量の抽出方法について説明する。領域分離処理部４１は、基本的には、画像を画像の領域毎に特徴量を抽出し、抽出した特徴量に基づいて、原画像（第１の画像）と予め記録された画像の属性情報などの特徴を比較し、画像領域の属性を識別する。より具体的には、領域分離処理部４１では、複数の領域毎に領域属性を識別する領域識別処理を実行し、領域属性を特徴量として抽出する。この領域属性としては、例えば、文字領域、写真領域、図領域、表領域、黒ベタ領域、背景領域、識別不能領域等の様々な領域属性がある。なお、識別不能領域とは、領域識別処理により領域属性を識別できなかった領域である。また、背景領域とは、原稿の余白にあたる余白領域であるが、これに限るものではなく、例えば、行間にあたる行間領域を余白領域に加えた領域であっても良い。
【００２１】
図１４は画像処理の流れ（第１例）を概略的に示すフローチャートである。このフローでは、まず、スキャナ２による原稿画像の読取に待機する。操作者がスキャナ２の原稿圧板６を開放してコンタクトガラス５上に原稿をセットし、原稿圧板６を閉じて操作パネル３３のスタートキーを押下すると、スキャナ２は読取光学系７のスキャニング動作でコンタクトガラス５上にセットされた原稿から原画像（第１の画像）を読み取る（ステップＳ１ｃ）。
同時に、原画像中の無線タグ（ＲＦＩＤ）領域を無線タグ認識部４０ａにおいて認識し（ステップＳ２ｃ）、解析し、抽出し、無線タグ（ＲＦＩＤ）領域（周辺領域）に対して、像域分離の処理を施す（ステップＳ３ｃ）。像域分離処理により、画像の領域属性を、文字の画像で構成される文字領域と、絵柄の画像で構成される絵柄領域とに像域分離するなど、文字領域、写真領域、図領域、表領域、背景領域、識別不能領域等に識別する。原稿上の無線タグの位置の周辺領域の画像属性情報は画像属性情報抽出手段によって抽出する。
その後、スキャナ２により原稿から原画像が読み取られると、読み取った原画像を圧縮し（ステップＳ４ｃ）、圧縮した原画像を復号し（ステップＳ５ｃ）、像域分離された領域毎に最適な画像処理を施す。そして、ステップＳ６ｃで画像を出力する。なお、領域毎に最適な画像処理の方法は、従来の方法、例えば、文字領域に対してエッジを強調するようなフィルタ処理を施す方法等で、その方法は公知であるため、その説明は省略する。無線タグ（ＲＦＩＤ）領域情報を手がかりとして属性を推定するので、推定精度を格段に向上することができるのである。
図１５は画像処理の流れ（第２例）を概略的に示すフローチャートである。このフローでは、まず、コンタクトガラス５上にセットされた原稿から原画像（第１の画像）を読み取る。同時に、原画像中の無線タグ（ＲＦＩＤ）領域を無線タグ認識部４０ａにおいて解析し抽出し、無線タグ（ＲＦＩＤ）領域（周辺領域）に対して、像域分離の処理を施し領域の属性を識別する。その後、スキャナ２により原稿から原画像が読み取られると、像域情報を用いて読み取った原画像を圧縮する（ステップＳ１ｄ〜Ｓ４ｄ）。像域情報を用いて符号処理する方法については、次の節で説明する。圧縮した原画像を復号し、像域分離された領域毎に最適な画像処理を施し、画像を出力する（ステップＳ５ｄ〜Ｓ７ｄ）。なお、領域毎に最適な画像処理の方法は、従来の方法、例えば、文字領域に対してエッジを強調するようなフィルタ処理を施す方法等で、その方法は公知であるため、その説明は省略する。
図１６は画像処理の流れ（第３例）を概略的に示すフローチャートである。無線タグの有無によって符号処理または復号後の画像データに対して画像処理を施すところに特徴がある（ステップＳ１ｅ〜Ｓ６ｅ）。
【００２２】
５）処理への応用
次に、無線タグ（ＲＦＩＤ）領域情報を用いて高精度に抽出された像域分離情報を符号化処理に反映する方法について説明する。本発明では、ＪＰＥＧ２０００（ISO/IEC 15444-1）規格に基づく符号化方式に見られるように、領域毎に異なる符号化処理を施すことができる符号化方式であることに特徴がある。図１７は、本発明における典型的な符号化処理を説明するための図である。画像読込部３１ａ、像域分離手段としての像域分離部３２ａと、注目領域設定部３３ａと、圧縮手段としての画像圧縮部３４ａと、符号列出力部３９とを備えている。
画像読込部３１ａは、バンドバッファ（１ページ分の画像データを構成する複数のバンドのうち、１つのバンドに含まれる画素のデータを格納するためのバッファであり、バンドとは、所定数の画素ラインから構成される画像データの一領域である。）からバンドの画像データを読み込む。像域分離部は、先に説明したように本発明の無線タグ（ＲＦＩＤ）領域情報を用いて画像データについて画像の像域分離を行う。画像圧縮部３４ａは、画像をウェーブレット変換した係数を符号化することにより前記画像データを圧縮符号化して符号列を作成し、この符号列の作成の際に前記像域分離の結果判明した特定の像域にＲＯＩ（Region of Interest）領域を設定するＲＯＩ領域設定手段を備えている。
したがって、１枚の画像中でも、画像種に応じてＲＯＩ領域とそれ以外の領域に区別して画像を圧縮符号化できるので、その後の画像利用の便宜を図ることができる。符号化処理において、前記圧縮手段は、典型的には、前記画像の前記ＲＯＩ領域とそれ以外の領域とで異なる圧縮符号化方式により前記圧縮符号化を行う。１枚の画像中でも、画像種に応じてＲＯＩ領域とそれ以外の領域とで異なる圧縮符号化方式を設定できるので、その後の画像利用の便宜を図ることができる。
【００２３】
以下、像域分離処理では、画像の領域属性を、文字の画像で構成される文字領域と、絵柄の画像で構成される絵柄領域とに像域分離する場合を例に説明するが、他の属性についても同様である。また、圧縮はＪＰＥＧ２０００（ISO/IEC 15444-1）規格に基づき符号化される場合について限定する。注目領域設定部３３ａは、像域分離部３２ａにより像域分離された、文字領域、絵柄領域のうちユーザが選択（図示しない操作パネルの操作により選択する）した方を注目領域として設定する。また、ユーザがかかる選択を行わないときは、文字領域を注目領域としてデフォルトで選択する。
画像圧縮部３４ａは、画像読込部３１ａが読み込んだバンドの画像データをＪＰＥＧ２０００アルゴリズムにより圧縮符号化して符号列を作成する。すなわち、バンドの画像データを必要に応じて複数のタイルに分割した上データイル分割した場合にはタイルごとに独立して、画像データをウェーブレット変換部３５ａで離散ウェーブレット変換する。そして、変換後のウェーブレット係数を量子化部３６ａで量子化し、符号化部３７ａで圧縮符号化し、符号列作成部３８で一本の符号列に作成する。これらの処理の詳細については前述したとおりである。符号列出力部３９は、作成した符号列をページメモリ２５ａに出力する。
画像圧縮部３４ａでは、この符号列の作成に際して、注目領域設定部３３ａにより注目領域として設定された像域（この例では、文字領域または絵柄領域）をＲＯＩ領域として設定する（画像のどの領域がＲＯＩ領域であるかの情報は、作成される符号列のヘッダ情報に記録される。）。そして、画像を圧縮符号化するのに際して、ＲＯＩ領域については、それ以外の領域より低い所定の圧縮率で画像圧縮する。
具体的には、例えば、量子化部３６ａにおいて、ＲＯＩ領域については、ウェーブレット変換係数を所定レベル分だけシフトアップし、それ以外の領域については、このようなシフトアップを行わないようにする。すなわち、ＪＰＥＧ２０００に準ずる符号化を行う際には、上位ビットプレーンを優先して符号化し、下位ビットは状況に応じて省かれる。従って、このようにシフトアップを行うことにより、シフトアップした部分（ここではＲＯＩ領域）については、相対的に下位ビットまで符号化されるため、それ以外の領域に比較して高画質化が実現されることになる。
【００２４】
また、符号化処理の構成を、図１７に代えて図１８のように構成してもよい。図１８の例においては、量子化部３６ａの後段で符号化部３７ａの前段にビットプレーン分割部４０ｄが設けられている。そして、この例においても、画像圧縮部３４ａでは、この符号列の作成に際して、注目領域設定部３３ａにより注目領域として設定された像域をＲＯＩ領域として設定し、画像を圧縮符号化するのに際して、ＲＯＩ領域については、それ以外の領域より低い所定の圧縮率で画像圧縮する。
ビットプレーン分割部４０ｄは、ウェーブレット変換係数値をビットプレーン単位に分解する。また、ビットプレーン分割部４０ｄは、ＲＯＩ領域については、それ以外の領域より、その構成するレイヤについて所定程度多くのビットを配置するようにして、ＲＯＩ領域についてはそれ以外の領域より高画質となるようにする。
図１７、図１８の符号化処理の構成例において、像域分離部３２ａは画像圧縮部３４ａの外部に設けているが、これは、像域分離部３２ａにおける像域分離の結果を画像圧縮部３４ａに送るパスを設けて実現している。しかし、像域分離部３２ａは画像圧縮部３４ａの内部に設けるようにしてもよい。例えば、ウェーブレット変換部３５ａと量子化部３６ａとの間に像域分離部３２ａを設けることができる。この場合、前記したサブバンド分解後のデータを使用して画像のエッジ成分を抽出して像域分離処理を行うことなどが考えられる。
なお、図１７、図１８の符号化処理は、その機能をすべて複合機１の全体を制御するコントローラのＲＯＭに記憶されている制御プログラムに基づく処理により実現することも可能であるが、処理の高速化のために、その機能の少なくとも一部をＡＳＩＣにより実現するようにすることもできる。
【００２５】
次に、デジタル複写機１の動作について図１９、図２０のフローチャートを参照して説明する。図１９は、注目領域の設定に関する処理のフローチャートである。まず、複合機１の全体を制御するコントローラは、図示しない操作パネルの操作によりモード設定が選択されたときは（ステップＳ１のＹ）、操作パネルのディスプレイに注目領域の設定を行うか否かのメッセージを表示して、注目領域の設定の有無をユーザに問い合わせる（ステップＳ２）。
そして、ユーザが操作パネルを操作して注目領域の設定を行わないことを選択したときは（ステップＳ３のＮ）、デフォルトで文字領域を注目領域として設定する（ステップＳ４）。注目領域の設定を行うことを選択したときに（ステップＳ３のＹ）、文字領域を注目領域として選択したときは（ステップＳ５のＹ）、文字領域を注目領域として設定し（ステップＳ６）、絵柄領域を注目領域として選択したときは（ステップＳ７のＹ）、文字領域を注目領域として設定する（ステップＳ８）。
【００２６】
図２０は、画像データの圧縮処理のフローチャートである。スキャナ２等から送信された画像データはバンドごとにバンドバッファ（１ページ分の画像データを構成する複数のバンドのうち、１つのバンドに含まれる画素のデータを格納するためのバッファであり、バンドとは、所定数の画素ラインから構成される画像データの一領域である。）でバッファリングされて、符号化部（バンドバッファに格納された画像データを符号化するための符号化装置）で処理される。すなわち、コントローラは、バンドの画像を像域分離部３２で像域分離して、像域分離手段、像域分離処理を実現する（ステップＳ１１）。そして、この像域分離により注目領域と判定された領域はＲＯＩ領域として設定して、ＲＯＩ領域設定手段、ＲＯＩ領域設定処理を実現する（ステップＳ１２）。
そして、この画像を順次画像圧縮部３４で圧縮符号化して符号列を作成し、圧縮手段、圧縮処理を実現する（ステップＳ１３〜Ｓ１６）。すなわち、ＲＯＩ領域として設定されている領域は（ステップＳ１３のＹ）、ＪＰＥＧ２０００アルゴリズムにより所定の低い圧縮率で圧縮符号化し（ステップＳ１４）、ＲＯＩ領域以外の領域は（ステップＳ１３のＮ）、ＪＰＥＧ２０００アルゴリズムによりＲＯＩ領域の処理の場合より高い所定の圧縮率で圧縮符号化する（ステップＳ１５）。そして、符号を一本の符号列に合成する（ステップＳ１６）。
なお、ステップＳ１４、Ｓ１５において、圧縮率の違いは、符号化部２３が図１７の例の場合であれば、前述のように、ＲＯＩ領域については、ウェーブレット変換係数を所定レベル分だけシフトアップし、それ以外の領域については、このようなシフトアップを行わないようにすることで行う。また、図１８の例であれば、前述のように、ＲＯＩ領域については、それ以外の領域よりその構成するレイヤについて所定程度多くのビットを配置するようにして行う。
このような圧縮符号化後の符号列は、記憶装置となるページメモリ、ハードディスクに記憶され、画像形成を行うときには、復号化部（圧縮符号を復号するための復号化装置）で復号して復号化手段を実現し、復号後の画像データがＲＧＢ→ＣＭＹＫ変換部に出力され、プリンタエンジン１７での画像形成に供される。したがって、１枚の画像中でも、ＲＯＩ領域に指定された画像種の部分については、それ以外の部分より高画質で印刷出力されることが期待できる。
なお、上述した複合機の処理内容はコンピュータが読み取り可能なものとして情報記録媒体に記録して利用することもできる。また、上述の複合機の処理内容はコンピュータプログラムとして設定したものを用いてもよい。
【００２７】
以上説明したように、本発明を実施するための最良の形態では、原稿濃度のばらつきや複写機のランプのばらつきや原稿の汚れなどに左右されず、確実に的確な画像の特徴領域を認識できる。
また、無線タグの位置情報に基づいて画像処理する手段が提供できる。簡易かつ確実に原稿上の特定領域を指定することが可能となり、特定領域に対する画像処理を施すことができる。
また、無線タグの種類に基づいて画像処理する手段が提供できる。簡易かつ確実に原稿の画像処理方法を指定することが可能となり、的確な画像処理を施すことができる。
また、無線タグの位置と種類に基づいて画像処理する手段が提供できる。簡易かつ確実に原稿上の特定領域を指定することが可能となるとともに、画像処理方法を指定することが可能となり、特定領域に対する的確な画像処理を施すことができる。
また、無線タグの内容に基づいて画像処理する手段が提供できる。簡易かつ確実に原稿の画像処理方法を指定することが可能となり、的確な画像処理を施すことができる。
また、無線タグの位置と内容に基づいて画像処理する手段が提供できる。簡易かつ確実に原稿上の特定領域を指定することが可能となるとともに、画像処理方法を指定することが可能となり、特定領域に対する的確な画像処理を施すことができる。
また、無線タグの有無に基づいて画像処理する手段が提供できる。簡易かつ確実に原稿の画像処理方法を指定することが可能となり、的確な画像処理を施すことができる。
また、無線タグの位置周辺領域の画像属性情報を抽出し画像属性情報を使用して画像処理する手段を提供でき、領域毎の特徴に応じた画像処理が可能となる。
また、無線タグの位置情報を使用した特定領域に対する符号処理が可能となる。
また、特定領域（ＲＯＩ領域）内外で異なる圧縮符号化処理を施し、特定領域に対して他の領域とは異なる符号化処理が可能となる。
また、特定領域（ＲＯＩ領域）で異なる圧縮率で符号化する手段を提供でき、特定領域に対して他の領域とは異なる符号化処理が可能となる。
【図面の簡単な説明】
【００２８】
【図１】複合機１の概略を示す縦断面図。
【図２】複合機の画像処理に係る制御系のブロック図。
【図３】複合機１の光学系の斜視図。
【図４】走行体が原稿をスキャンする原理についての説明図。
【図５】複合機の電装・制御装置の処理概念図。
【図６】ページヘッダ記録内容例を示す図である
【図７】図５の複合機の電装・制御装置の処理フロー図。
【図８】無線タグとリーダ・ライターの回路構成を示すブロック図。
【図９】リーダ・ライターと無線タグとの交信手順を説明するフローチャート。
【図１０】リーダ・ライターと無線タグの交信フロー図。
【図１１】図５の１２ａの画像処理の概要を説明するための画像処理装置の機能ブロック図。
【図１２】複合機１における画像処理の概要を説明するための画像処理に係る機能ブロック図（その１）。
【図１３】複合機１における画像処理の概要を説明するための画像処理に係る機能ブロック図（その２）。
【図１４】画像処理の流れ（第１例）を概略的に示すフローチャート。
【図１５】画像処理の流れ（第２例）を概略的に示すフローチャート。
【図１６】画像処理の流れ（第３例）を概略的に示すフローチャート。
【図１７】本発明における典型的な符号化処理を説明するための図。
【図１８】ビットプレーン分割部４０ｄを設けた場合の符号化処理を説明するための図。
【図１９】注目領域の設定に関する処理のフローチャート。
【図２０】画像データの圧縮処理のフローチャート。
【符号の説明】
【００２９】
１  複合機（ＭＦＰ）、１ｂ  メモリ、１ｃ  バッファ、２  スキャナ、２ａ  平滑フィルタ処理装置、２ｂ  データ処理回路、２ｃ  色変換処理装置、３  プリンタ、３ａ  ラインメモリ、３ｂ  変調回路、３ｃ  階調処理装置、３ｄ  ワイヤ、４  本体ケース、４ａ  符号化装置、４ｂ  送信ドライバ、４ｃ  ＰＩＸＥＬ＿ＴＯ＿ＰＬＡＮＥ変換装置、４ｄ  駆動軸、５  コンタクトガラス、５ａ  アンテナ、５ｂ  アンテナ入力回路、５ｃ  バッファ、５ｄ、７ｄ  プーリ、６  原稿圧板、６ａ  リーダ・ライター、６ｂ  電源生成回路、６ｃ  像域分離情報保存部、６ｄ  タイミングベルト、７  読取光学系、７ａ  無線タグ認識装置、７ｂ  復調回路、８  光源、８ａ  ページヘッダ編集装置、８ｂ  データ処理回路、８ｄステッピングモータ、９、１１、１２  ミラー、９ａ  メインメモリ、９ｂ  変調回路、１０  第１走行体、１０ａ  ページ復号装置、１０ｂ  送信ドライバ、１１ｂ  アンテナ入力回路、１２ａ  画像処理装置、１２ｂ  復調回路、１３  第２走行体、１３ａ  ラインメモリ、１４  結像レンズ、１５  ＣＣＤイメージセンサ、１５ａ  ＨＤＤ制御装置、１６  記録材保持部、１６ａ  ＨＤＤ、１７  プリンタエンジン、１８  定着器、１９  排出部、２０  記録材経路、２１  感光体、２２  帯電器、２３  露光器、２４  現像器、２５  転写器、２５ａ  ページメモリ、２６  クリーナー、３０  ＣＰＵ、３１  ＲＯＭ、３１ａ  画像読込部、３２  ＲＡＭ、３２ａ  像域分離部、３３  操作パネル、３３ａ  注目領域設定部、３４  ＩＰＵ、３４ａ  画像圧縮部、３５  Ｉ／Ｏポート、３５ａ  ウェーブレット変換部、３６  通信制御部、３６ａ  量子化部、３７  バス、３７ａ  符号化部、３８  符号列作成部、３９  符号列出力部、４０ａ  無線タグ認識部、４０ｃ  スキャナ入力部、４０ｂ  符号処理部、４０ｄ  ビットプレーン分割部、４１  領域分離処理部
【図１】
2006094240.tif 000003
【図２】
2006094240.tif 000004
【図３】
2006094240.tif 000005
【図４】
2006094240.tif 000006
【図５】
2006094240.tif 000007
【図６】
2006094240.tif 000008
【図７】
2006094240.tif 000009
【図８】
2006094240.tif 000010
【図９】
2006094240.tif 000011
【図１０】
2006094240.tif 000012
【図１１】
2006094240.tif 000013
【図１２】
2006094240.tif 000014
【図１３】
2006094240.tif 000015
【図１４】
2006094240.tif 000016
【図１５】
2006094240.tif 000017
【図１６】
2006094240.tif 000018
【図１７】
2006094240.tif 000019
【図１８】
2006094240.tif 000020
【図１９】
2006094240.tif 000021
【図２０】
2006094240.tif 000022